(57)【要約】【課題】  本発明は、予め電子透かしを埋め込んだｍ個の領域を有するｎセットの画像コンテンツを用意しておくことで短時間で多くの種類の電子透かしの組み合わせパターンの画像コンテンツを再構成できる電子透かし埋込画像コンテンツ作成方法を提供することを目的とする。【解決手段】  本願発明の電子透かし埋込画像コンテンツ作成方法は、領域を有する画像コンテンツを複製し、領域それぞれに電子透かしを埋め込み、複製した画像コンテンツから領域を選択して組み合わせ、画像コンテンツを再構成することとした。【選択図】図１
2010193405.tif 000002
【特許請求の範囲】
【請求項１】
電子透かしを画像コンテンツに埋め込む電子透かし埋込画像コンテンツ作成方法であって、
ｍ個の領域を有し、ｎセット複製された画像コンテンツのそれぞれの領域に、
少なくとも１以上の種類の電子透かしの中から１の種類の電子透かしを埋め込み、
前記電子透かしを埋め込まれたｎセットの前記画像コンテンツの中から、
前記領域ごとに、いずれかのセットに属する領域を選択し、前記選択したｍ個の領域を組み合わせて前記画像コンテンツを再構成することを特徴とする電子透かし埋込画像コンテンツ作成方法。
【請求項２】
前記領域を複数集合させたグループに区切り、同一グループ内では同一種類の電子透かしを埋め込むことを特徴とする請求項１に記載の電子透かし埋込画像コンテンツ作成方法。
【請求項３】
前記領域のうち、特定の領域には前記電子透かしを埋め込まないことを特徴とする請求項１又は２に記載の電子透かし埋込画像コンテンツ作成方法。
【請求項４】
１又は２以上の特定の領域に、予め定めた前記電子透かしを埋め込むことを特徴とする請求項１から３のいずれかに記載の電子透かし埋込画像コンテンツ作成方法。
【請求項５】
前記ｎセットのうち、同一セット内では同一の種類の電子透かしを埋め込むことを特徴とする請求項１から４のいずれかに記載の電子透かし埋込画像コンテンツ作成方法。
【請求項６】
前記画像コンテンツは、動画であり、
前記領域は、前記動画を構成するフレームである
ことを特徴とする請求項１から５のいずれかに記載の電子透かし埋込画像コンテンツ作成方法。
【請求項７】
前記動画における前記電子透かしを埋め込む位置及び前記電子透かしの種類について、いずれか一方又は両方を変更する
ことを特徴とする請求項６に記載の電子透かし埋込画像コンテンツ作成方法。
【請求項８】
前記画像コンテンツは静止画であり、
前記領域は、前記静止画を分割したブロックである
ことを特徴とする請求項１から５のいずれかに記載の電子透かし埋込画像コンテンツ作成方法。
【発明の詳細な説明】
【技術分野】
【０００１】
本発明は、画像コンテンツの内容を維持しながら、少ない種類の電子透かしでそれぞれの画像コンテンツの配信先を識別できる電子透かし埋込画像コンテンツ作成方法に関する。
【背景技術】
【０００２】
ユーザがコンテンツサーバから画像コンテンツをダウンロードする画像コンテンツ配信形態において、ユーザのダウンロードする画像コンテンツに、ユーザごとに異なる電子透かしを埋め込み、画像コンテンツがユーザから流出した場合であっても、どのユーザに配信したものが流出したのか識別可能とする方法が検討されていた。具体的には、電子透かしを利用して、画像全体に電子透かしを埋め込んだり、画像をブロックに分割して分割したブロックそれぞれに電子透かしを埋め込む方法が提案されている（例えば、特許文献１参照。）。
【先行技術文献】
【特許文献】
【０００３】
【特許文献１】特開２００３−１２５１９２号公報
【発明の概要】
【発明が解決しようとする課題】
【０００４】
しかし、流通する画像の配信先を明確にするために、配信先ごとに異なる電子透かしが必要となり、膨大な種類の電子透かしを予め用意しなければならず、また、電子透かしを埋め込む処理時間も膨大なものとなる。
【０００５】
そこで、本発明では、予め電子透かしを埋め込んだｍ個の領域を有するｎセットの画像コンテンツを用意しておくことで短時間で多くの種類の電子透かしの組み合わせパターンの画像コンテンツを再構成できる電子透かし埋込画像コンテンツ作成方法を提供することを目的とする。
【課題を解決するための手段】
【０００６】
上記目的を達成するために、本願発明の電子透かし埋込画像コンテンツ作成方法は、領域を有する画像コンテンツを複製し、領域それぞれに電子透かしを埋め込み、複製した画像コンテンツから領域を選択して組み合わせ、画像コンテンツを再構成することとした。
【０００７】
具体的には、本願発明の電子透かし埋込画像コンテンツ作成方法は、電子透かしを画像コンテンツに埋め込む電子透かし埋込画像コンテンツ作成方法であって、ｍ個の領域を有し、ｎセット複製された画像コンテンツのそれぞれの領域に、少なくとも１以上の種類の電子透かしの中から１の種類の電子透かしを埋め込み、前記電子透かしを埋め込まれたｎセットの前記画像コンテンツの中から、前記領域ごとに、いずれかのセットに属する領域を選択し、前記選択したｍ個の領域を組み合わせて前記画像コンテンツを再構成する。
【０００８】
この方法によれば、予め電子透かしを埋め込んだｍ個の領域を有するｎセットの画像コンテンツを用意しておくことで、電子透かしの組み合わせパターンを決めるだけで短時間で多くの組み合わせパターンの画像コンテンツを再構成できる。
【０００９】
また、本願発明の電子透かし埋込画像コンテンツ作成方法は、前記領域を複数集合させたグループに区切り、同一グループ内では同一種類の電子透かしを埋め込む。
【００１０】
この方法によれば、少ない種類の電子透かしの組み合わせパターンを判定することで、容易に画像コンテンツの配信先を識別できる。
【００１１】
また、本願発明の電子透かし埋込画像コンテンツ作成方法は、前記領域のうち、特定の領域には前記電子透かしを埋め込まない。
【００１２】
この方法によれば、電子透かしの種類を増加させることなく、電子透かしのパターンの種類を増加させることができる。
【００１３】
また、本願発明の電子透かし埋込画像コンテンツ作成方法は、１又は２以上の特定の領域に、予め定めた前記電子透かしを埋め込む。
【００１４】
この方法によれば、さらに少ない種類の電子透かしの組み合わせパターンを判定することで、短時間で画像コンテンツの配信先を識別できる。
【００１５】
また、本願発明の電子透かし埋込画像コンテンツ作成方法は、前記ｎセットのうち、同一セット内では同一の種類の電子透かしを埋め込む。
【００１６】
この方法によれば、僅かな種類の電子透かしの組み合わせパターンを判定することで、容易に画像コンテンツの配信先を識別できる。
【００１７】
また、本願発明の電子透かし埋込画像コンテンツ作成方法は、前記画像コンテンツは、動画であり、前記領域は、前記動画を構成するフレームであってもよい。
【００１８】
この方法によれば、予め電子透かしを埋め込んだｍ個のフレームを有するｎセットの動画を用意しておくことで、電子透かしの組み合わせパターンを決めるだけで短時間で多くの組み合わせパターンの動画を再構成できる。
【００１９】
また、本願発明の電子透かし埋込画像コンテンツ作成方法は、前記動画における前記電子透かしを埋め込む位置及び前記電子透かしの種類について、いずれか一方又は両方を変更する。
【００２０】
この方法によれば、電子透かしを埋め込む位置或いは電子透かしの種類のいずれか、あるいは両方へ変更することで電子透かしの組み合わせのパターンを増やせるので、電子透かしの種類を増やさなくても多くの動画の配信先の識別に対応できる。
【００２１】
また、本願発明の電子透かし埋込画像コンテンツ作成方法は、前記画像コンテンツは静止画であり、前記領域は、前記静止画を分割したブロックであってもよい。
【００２２】
この方法によれば、予め電子透かしを埋め込んだｍ個のブロックを有するｎセットの静止画を用意しておくことで、電子透かしの組み合わせパターンを決めるだけで短時間で多くの組み合わせパターンの静止画を再構成できる。
【００２３】
なお、上記各方法は、可能な限り組み合わせることができる。
【発明の効果】
【００２４】
本発明によれば、予め電子透かしを埋め込んだｍ個の領域を有するｎセットの画像コンテンツを用意しておくことで短時間で多くの種類の電子透かしの組み合わせパターンの画像コンテンツを再構成できる電子透かし埋込画像コンテンツ作成方法を提供することを目的とする。
【図面の簡単な説明】
【００２５】
【図１】電子透かし埋込画像コンテンツ作成方法の第一の実施形態を示す図である。
【図２】電子透かし埋込画像コンテンツ作成方法の第二の実施形態を示す図である。
【図３】電子透かし埋込画像コンテンツ作成方法の第三の実施形態を示す図である。
【図４】電子透かし埋込画像コンテンツ作成方法の第四の実施形態を示す図である。
【図５】電子透かし埋込画像コンテンツ作成方法の第五の実施形態を示す図である。
【図６】電子透かし埋込画像コンテンツ作成方法の第六の実施形態を示す図である。
【図７】電子透かし埋込画像コンテンツ作成方法の第七の実施形態の一つ目のパターンを示す図である。
【図８】電子透かし埋込画像コンテンツ作成方法の第七の実施形態の二つ目のパターンを示す図である。
【図９】電子透かし埋込画像コンテンツ作成方法の第七の実施形態の三つ目のパターンを示す図である。
【図１０】電子透かし埋込画像コンテンツ作成方法の第八の実施形態を示す図である。
【発明を実施するための形態】
【００２６】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２７】
電子透かしを画像コンテンツに埋め込む電子透かし埋込画像コンテンツ作成方法であって、ｍ個の領域を有し、ｎセット複製された画像コンテンツのそれぞれの領域に、少なくとも１以上の種類の電子透かしの中から１の種類の電子透かしを埋め込み、電子透かしを埋め込まれたｎセットの画像コンテンツの中から、領域ごとに、いずれかのセットに属する領域を選択し、選択したｍ個の領域を組み合わせて画像コンテンツを再構成する電子透かし埋込画像コンテンツ作成方法を説明する。図１は、電子透かし埋込画像コンテンツ作成方法の第一の実施形態であり、ｍ個の領域で構成される画像コンテンツをｎセット複製し、それぞれのブロックに電子透かしを埋め込み、各セットからｍ個の領域を選択して組み合わせて画像コンテンツを再構成する方法を示す図である。
【００２８】
図１において、１０は画像コンテンツ、１１は複数の領域、１２は電子透かし、１５は画像コンテンツ１０を構成する画像である。画像コンテンツ１０は、例えば、ユーザがコンテンツサーバからダウンロードする画像データである。Ｆは画像１５であり、Ｗは画像１５に埋め込まれた電子透かし１２である。Ｆ１〜Ｆｍは１個目からｍ個目の画像１５を示し、Ｗ１１〜Ｗｎｍは１個目からｍ個目の画像１５に埋め込まれた１番目からｎ番目の電子透かし１２を示している。つまり、Ｆｍ＋Ｗｎｍはｎ番目の電子透かし１２を埋め込まれたｍ個目の画像１５を示す。図１（ａ）は１番目の画像コンテンツ１０のセット、図１（ｂ）は２番目の画像コンテンツ１０のセット、図１（ｃ）はｎ番目の画像コンテンツ１０のセットである。図１（ｄ）は、電子透かしを埋め込まれたｎセットの画像コンテンツ１０から、ｍ個の領域１１を集めて再構築された画像コンテンツ１０である。領域１１は、ｎセット複製された画像コンテンツ１０内にｍ個存在する。電子透かし１２は、コンテンツサーバによって画像コンテンツ１０に埋め込まれ、画像コンテンツ１０の見かけ上において、埋め込まれていることを認識することが困難な情報である。なお、ここでは、出所とは、コンテンツの権利者又は著作権者であり、配信先とは、コンテンツのユーザを指す。
【００２９】
以下に電子透かし１２の埋め込み手順を説明する。コンテンツサーバは、領域１１がｍ個存在するｎセット複製された画像コンテンツ１０を有する。例えば、図１（ａ）〜（ｃ）の場合は、ｍ×ｎ個の同一の形状の領域１１を有する。領域１１には画像１５がすでに埋め込まれており、この領域１１一つに対して、電子透かし１２一つを埋め込む。そして、電子透かし１２を埋め込まれたｎセットの画像コンテンツ１０の中から、領域１１ごとに、いずれかのセットに属する領域１１をｍ個選択し、図１（ｄ）に示すように、選択した領域１１をｍ個組み合わせて画像コンテンツ１０を再構成する。それぞれの領域１１に埋め込む電子透かし１２の種類はそれぞれ異なっていても、同一であっても良い。少なくとも２種類以上が望ましい。電子透かし１２を埋め込むタイミングも異なっていても、同時であっても良い。
【００３０】
この方法によれば、予め電子透かし１２を埋め込んだｍ個の領域１１を有するｎセットの画像コンテンツ１０を用意しておくことで、電子透かし１２の組み合わせパターンを決めるだけで短時間で多くの組み合わせパターンの画像コンテンツ１０を再構成できる。よって、少ない電子透かし１２の種類から多くの電子透かし１２の種類の組み合わせのパターンを作成でき、画像コンテンツ１０の数に関わらず、配信先の情報を埋め込むことができる。
【００３１】
そして、電子透かし埋込画像コンテンツ作成方法で作成された画像コンテンツ１０は、領域１１に埋め込まれた、電子透かし１２の種類の組み合わせパターンから画像コンテンツ１０の配信先を識別できる。第一の実施形態に係る画像コンテンツ１０においては、領域１１それぞれに埋め込まれた異なる電子透かし１２の種類の組み合わせパターンを判定することで、多くの画像コンテンツ１０の配信先を識別できる。
【００３２】
次に、複数の領域１１を集合させてグループ化し、同一グループ内に同一種類の電子透かしを埋め込む方法を説明する。図２は、電子透かし埋込画像コンテンツ作成方法の第二の実施形態であり、電子透かし埋込画像コンテンツ作成方法は、領域１１を複数集合させたグループに区切り、同一グループ内では同一種類の電子透かし１２を埋め込む。
【００３３】
図２において、１３は複数の領域１１を集合させたグループであり、図２（ａ）は１番目の画像コンテンツ１０のセット、図２（ｂ）は２番目の画像コンテンツ１０のセット、図２（ｃ）はｎ番目の画像コンテンツ１０のセット、図２（ｄ）は、電子透かし１２を埋め込まれたｎセットの画像コンテンツ１０から、ｍ個の領域１１を集めて再構築された画像コンテンツ１０である。領域１１に埋め込まれた電子透かし１２について、Ｗ１１、Ｗ１２は同一の種類、Ｗ２２、Ｗ２３は同一の種類、Ｗｎ１、Ｗｎ２は同一の種類である。なお、図１に示された要素については説明を省略する。
【００３４】
以下に電子透かし１２の埋め込み手順を説明する。コンテンツサーバは、領域１１がｍ個存在するｎセット複製された画像コンテンツ１０を有する。例えば、図２（ａ）〜（ｃ）の場合は、ｍ×ｎ個の同一の形状の領域１１を有する。領域１１には画像１５がすでに埋め込まれている。次に、これら領域１１を集合させたグループ１３を作る。グループ１３内の領域１１の数は問わない。また、グループ１３内の領域１１は接していても、離れていてもよい。このグループ１３内に集合された領域１１一つに対し、電子透かし１２一つを埋め込む。そして、電子透かし１２を埋め込まれたｎセットの画像コンテンツ１０の中から、領域１１ごとに、いずれかのセットに属する領域１１をｍ個選択し、図２（ｄ）に示すように、選択した領域１１をｍ個組み合わせて画像コンテンツ１０を再構成する。それぞれの領域１１に埋め込む電子透かし１２の種類はグループ１３内において同一であり、グループ１３毎では異なる。電子透かし１２を埋め込むタイミングは異なっていても、同時であっても良い。
【００３５】
この方法によれば、さらに少ない電子透かし１２の種類から多くの電子透かし１２の種類の組み合わせのパターンを作成でき、画像コンテンツ１０の数に関わらず、配信先の情報を埋め込むことができる。
【００３６】
そして、電子透かし埋込画像コンテンツ作成方法で作成された画像コンテンツ１０は、領域１１に埋め込まれた、電子透かし１２の種類の組み合わせパターンから画像コンテンツ１０の配信先を識別できる。第二の実施形態に係る画像コンテンツ１０においては、一のグループ１３によって決められる種類の電子透かし１２と、他のグループ１３に決められた種類の電子透かし１２との組み合わせパターンを判定することで、短時間で画像コンテンツ１０の配信先を識別することができる。
【００３７】
次に、画像コンテンツ１０内の特定の領域１１を除いて電子透かし１２を埋め込む方法を説明する。図３は、電子透かし埋込画像コンテンツ作成方法の第三の実施形態について示す図であり、電子透かし埋込画像コンテンツ作成方法は、領域１１のうち、特定の領域１１には電子透かし１２を埋め込まない。図３において、１６は画像１５のみ埋め込まれた空白の領域である。Ｆは画像１５であり、Ｗは画像１５に埋め込まれた電子透かし１２である。Ｆ１〜Ｆｍは１個目からｍ個目の画像１５を示し、Ｗ１１〜Ｗｎｍは１個目からｍ個目の画像１５に埋め込まれた１番目からｎ番目の電子透かし１２を示している。つまり、Ｆm＋Ｗｎｍはｎ番目の電子透かし１２を埋め込まれたｍ個目の画像１５を示す。図３（ａ）は１番目の画像コンテンツ１０のセット、図３（ｂ）は２番目の画像コンテンツ１０のセット、図３（ｃ）はｎ番目の画像コンテンツ１０のセットである。図３（ｄ）は、電子透かしを埋め込まれたｎセットの画像コンテンツ１０から、ｍ個の領域１１を集めて再構築された画像コンテンツ１０である。なお、図１、図２に示された要素については説明を省略する。
【００３８】
以下に電子透かし１２の埋め込み手順を説明する。コンテンツサーバは、領域１１がｍ個存在するｎセット複製された画像コンテンツ１０を有する。例えば、図３（ａ）〜（ｃ）の場合は、ｍ×ｎ個の同一の形状の領域１１を有する。領域１１には画像１５がすでに埋め込まれており、この領域１１一つに対し電子透かし１２一つを埋め込む。しかし、電子透かし１２を埋め込まない画像１５のみ埋め込まれた、空白の領域１６も残す。そして、電子透かし１２を埋め込まれたｎセットの画像コンテンツ１０の中から、領域１１ごとに、いずれかのセットに属する領域１１をｍ個選択し、図３（ｄ）に示すように、選択した領域１１をｍ個組み合わせて画像コンテンツ１０を再構成する。空白の領域１６の数は問わない。空白でない領域１１に埋め込む電子透かし１２の種類はそれぞれ異なっていても、同一であっても良い。電子透かし１２を埋め込むタイミングも異なっていても、同時であっても良い。例えば、電子透かし１２の種類を１種類とし、空白の領域１６との組み合わせパターンを判定すれば、配信先を識別することができる。
【００３９】
この方法によれば、電子透かし１２を埋め込まずに空白の領域１６とすることで、電子透かし１２の種類を増加させることなく、電子透かし１２のパターンの種類を増加させることができる。
【００４０】
そして、電子透かし埋込画像コンテンツ作成方法で作成された画像コンテンツ１０は、領域１１に埋め込まれた、電子透かし１２の種類の組み合わせパターンを判定し、配信先を識別できる。第三の実施形態に係る画像コンテンツ１０においては、そして、空白の領域１６及び領域１１に埋め込まれた電子透かし１２の種類の組み合わせパターンを判定することで画像コンテンツ１０の配信先を識別することができる。
【００４１】
次に、画像コンテンツ１０内の特定の領域１１に予め定めた電子透かし１２を埋め込む方法を説明する。図４は、電子透かし埋込画像コンテンツ作成方法の第四の実施形態であり、電子透かし埋込画像コンテンツ作成方法は、１又は２以上の特定のブロック１４に予め定めた電子透かし１２を埋め込む。図４において、１４は画像コンテンツ１０内の領域１１の中で特定された領域である。Ｆは画像１５であり、Ｗは画像１５に埋め込まれた電子透かし１２である。Ｆ１〜Ｆｍは１個目からｍ個目の画像１５を示し、Ｗ１１〜Ｗｎｍは１個目からｍ個目の画像１５に埋め込まれた１番目からｎ番目の電子透かし１２を示している。つまり、Ｆm＋Ｗｎｍはｎ番目の電子透かし１２を埋め込まれたｍ個目の画像１５を示す。図４（ａ）は１番目の画像コンテンツ１０のセット、図４（ｂ）は２番目の画像コンテンツ１０のセット、図４（ｃ）はｎ番目の画像コンテンツ１０のセットである。図４（ｄ）は、電子透かしを埋め込まれたｎセットの画像コンテンツ１０から、ｍ個の領域１１を集めて再構築された画像コンテンツ１０である。なお、図１〜図３に示された要素については説明を省略する。
【００４２】
以下に電子透かし１２の埋め込み手順を説明する。コンテンツサーバは、領域１１がｍ個存在するｎセット複製された画像コンテンツ１０を有する。例えば、図４（ａ）〜（ｃ）の場合は、ｍ×ｎ個の同一の形状の領域１１を有する。領域１１には画像１５がすでに埋め込まれており、これらの領域１１から、任意の領域１１を特定された領域１４とする。特定される領域１４の数は問わない。また、特定される領域１４同士は、接していても、離れていてもよい。この特定された領域１４には、決められた種類の電子透かし１２を一つを埋め込む。例えば、図４においては、Ｗ１２、Ｗ２３、Ｗｎ１は、この特定された領域１４以外に埋め込まれることはない。そして、電子透かし１２を埋め込まれたｎセットの画像コンテンツ１０の中から、領域１１ごとに、いずれかのセットに属する領域１１をｍ個選択し、図４（ｄ）に示すように、選択した領域１１をｍ個組み合わせて画像コンテンツ１０を再構成する。なお、他の領域１１に埋め込む電子透かし１２の種類は問わない。埋め込むタイミングは異なっていても、同時であっても良い。
【００４３】
この方法によれば、特定された領域１４に現れる電子透かし１２は予め決まっているので、電子透かし１２の種類は大幅に削減され、電子透かし１２を埋め込む処理時間を短縮することができる。
【００４４】
そして、電子透かし埋込画像コンテンツ作成方法で作成された画像コンテンツ１０は、領域１１に埋め込まれた、電子透かし１２の種類の組み合わせパターンを判定し、配信先を識別できる。第四の実施形態に係る画像コンテンツ１０においては、特定の領域１４に予め定められて埋め込まれた電子透かし１２を調べることで容易に電子透かし１２の種類の組み合わせパターンを判定でき、短時間で画像コンテンツ１０の配信先を識別できる。
【００４５】
次に、画像コンテンツ１０をｎセット複製し、同一セット内に同一種類の電子透かし１２を埋め込む方法を説明する。図５は、電子透かし埋込画像コンテンツ作成方法の第五の実施形態であり、電子透かし埋込画像コンテンツ作成方法は、ｎセットの画像コンテンツ１０うち、同一セットの画像コンテンツ１０内では同一の種類の電子透かし１２を埋め込む。
【００４６】
図５において、Ｆは画像１５であり、Ｗは画像１５に埋め込まれた電子透かし１２である。Ｆ１〜Ｆｍは１個目からｍ個目の画像１５を示し、Ｗ１１〜Ｗｎｍは１個目からｍ個目の画像１５に埋め込まれた１番目からｎ番目の電子透かし１２を示している。つまり、Ｆm＋Ｗｎｍはｎ番目の電子透かし１２を埋め込まれたｍ個目の画像１５を示す。図５（ａ）は１番目の画像コンテンツ１０のセット、図５（ｂ）は２番目の画像コンテンツ１０のセット、図５（ｃ）はｎ番目の画像コンテンツ１０のセットである。領域１１に埋め込まれた電子透かし１２について、図５（ａ）の１番目の画像コンテンツ１０のセットで埋め込まれる電子透かしはＷ１１、図５（ｂ）の２番目の画像コンテンツ１０のセットで埋め込まれる電子透かしはＷ２１、図５（ｃ）のｎ番目の画像コンテンツ１０のセットで埋め込まれる電子透かしはＷｎ１である。図５（ｄ）は、電子透かしＷｎ１を埋め込まれたｎセットの画像コンテンツ１０から、ｍ個の領域１１を集めて再構築された画像コンテンツ１０である。なお、図１〜図４に示された要素については説明を省略する。
【００４７】
以下に電子透かし１２の埋め込み手順を説明する。コンテンツサーバは、領域１１がｍ個存在するｎセット複製された画像コンテンツ１０を有する。例えば、図５（ａ）〜（ｃ）の場合は、ｍ×ｎ個の同一の形状の領域１１を有する。領域１１には画像１５がすでに埋め込まれており、図５（ａ）に示される１番目の画像コンテンツ１０のセット内のｍ個の領域１１にはそれぞれ、電子透かしＷ１１が埋め込まれる。同様に、図５（ｂ）に示される２番目の画像コンテンツ１０のセット内のｍ個の領域１１にはそれぞれ、電子透かしＷ２１が埋め込まれ、図５（ｃ）に示されるｎ番目の画像コンテンツ１０のセット内のｍ個の領域１１にはそれぞれ、電子透かしＷｎ１が埋め込まれる。そして、電子透かし１２を埋め込まれたｎセットの画像コンテンツ１０の中から、領域１１ごとに、いずれかのセットに属する領域１１をｍ個選択し、図５（ｄ）に示すように、選択した領域１１をｍ個組み合わせて画像コンテンツ１０を再構成する。それぞれの領域１１に埋め込む電子透かし１２の種類は同一セット内において同一種類であり、セット毎では異なる。電子透かし１２を埋め込むタイミングは異なっていても、同時であっても良い。
【００４８】
この方法によれば、僅かな種類の電子透かし１２の種類から多くの電子透かし１２の種類の組み合わせのパターンを作成でき、画像コンテンツ１０の数に関わらず、配信先の情報を埋め込むことができる。
【００４９】
そして、電子透かし埋込画像コンテンツ作成方法で作成された画像コンテンツ１０は、領域１１に埋め込まれた、電子透かし１２の種類の組み合わせパターンから画像コンテンツ１０の配信先を識別できる。第五の実施形態に係る画像コンテンツ１０においては、セット毎に異なる種類の電子透かし１２と、他のセットに決められた種類の電子透かし１２との組み合わせパターンを判定することで、短時間で画像コンテンツ１０の配信先を識別することができる。
【００５０】
次に、動画の１つのフレームを画像コンテンツ１０とみなして電子透かし１２を埋め込む方法を説明する。図６は、電子透かし埋込画像コンテンツ作成方法の第六の実施形態について示す図であり、１７は動画であり、１８は動画１７の１つのフレーム１８である。Ｆは動画１７を構成する画像１５であり、Ｗはフレーム１８に埋め込まれた電子透かし１２である。Ｆ１〜Ｆｍは１個目からｍ個目の画像１５を示し、Ｗ１１〜Ｗｎｍは１個目からｍ個目のフレーム１８に埋め込まれた１番目からｎ番目の電子透かし１２を示している。つまり、Ｆm＋Ｗｎｍはｎ番目の電子透かし１２及び画像１５を埋め込まれたｍ個目のフレーム１８を指す。図６（ａ）は１番目の動画１７のセット、図６（ｂ）は２番目の動画１７のセット、図６（ｃ）はｎ番目の動画１７のセットである。図６（ｄ）は、電子透かし１２を埋め込まれたｎセットの動画１７から、ｍ個のフレーム１８を集めて再構築された動画１７である。なお、図１〜図５に示された要素については説明を省略する。電子透かし埋込画像コンテンツ作成方法は、画像コンテンツ１０は、動画１７であり、領域１１は、動画１７を構成するフレーム１８であってもよい。
【００５１】
以下に電子透かし１２の埋め込み手順を説明する。コンテンツサーバは、フレーム１８がｍ個存在するｎセット複製された動画１７を有する。例えば、図６（ａ）〜（ｃ）の場合は、ｍ×ｎ個のフレーム１８を有する。フレーム１８には画像１５がすでに埋め込まれており、このフレーム１８一つに対して、電子透かし１２一つを埋め込む。そして、電子透かし１２を埋め込まれたｎセットの動画１７の中から、フレーム１８ごとに、いずれかのセットに属するフレーム１８をｍ個選択し、図６（ｄ）に示すように、選択したフレーム１８をｍ個組み合わせて動画１７を再構成する。それぞれのフレーム１８に埋め込む電子透かし１２の種類はそれぞれ異なっていても、同一であっても良い。電子透かし１２を埋め込むタイミングも異なっていても、同時であっても良い。
【００５２】
この方法によれば、予め電子透かし１２を埋め込んだｍ個のフレーム１８を有するｎセットの動画１７を用意しておくことで、電子透かし１２の組み合わせパターンを決めるだけで短時間で多くの組み合わせパターンの動画１７を再構成できる。よって、少ない電子透かし１２の種類から多くの電子透かし１２の種類の組み合わせのパターンを作成でき、動画１７の数に関わらず、配信先の情報を埋め込むことができる。
【００５３】
そして、電子透かし埋込画像コンテンツ作成方法で作成された画像コンテンツ１０は、領域１１に埋め込まれた、電子透かし１２の種類の組み合わせパターンを判定し、配信先を識別できる。第六の実施形態に係る画像コンテンツ１０においては、動画１７を構成するフレーム１８を複数の領域１１とみなして電子透かし１２を埋め込んでいることから、フレーム１８を調べることで、動画１７の配信先を識別することができる。
【００５４】
次に、動画１７の１つのフレームを画像コンテンツ１０とみなして電子透かし１２を埋め込む際に、電子透かし１２を埋め込む位置及び電子透かし１２の種類について、いずれか一方又は両方を変更する方法を説明する。図７は、電子透かし埋込画像コンテンツ作成方法の第七の実施形態の一つ目のパターンについて示す図であり、電子透かし埋込画像コンテンツ作成方法は、動画１７における電子透かし１２を埋め込む位置について、変更するとよい。１７は動画であり、１８は動画１７の１つのフレーム１８、１９はフレーム１８を分割したブロックである。図７（ａ）は電子透かし１２を埋め込んだ１番目の動画１７のセット、図７（ｂ）は電子透かし１２を埋め込んだ２番目の動画１７のセット、図７（ｃ）は電子透かし１２を埋め込んだｎ番目の動画１７のセットである。
【００５５】
同様に、図８は、電子透かし埋込画像コンテンツ作成方法の第七の実施形態の二つ目のパターンについて示す図であり、電子透かし埋込画像コンテンツ作成方法は、動画１７における電子透かし１２の種類について、変更するとよい。図８（ａ）は電子透かし１２を埋め込んだ１番目の動画１７のセット、図８（ｂ）は電子透かし１２を埋め込んだ２番目の動画１７のセット、図８（ｃ）は電子透かし１２を埋め込んだｎ番目の動画１７のセットである。同様に、図９は、電子透かし埋込画像コンテンツ作成方法の第七の実施形態の三つ目のパターンについて示す図であり、電子透かし埋込画像コンテンツ作成方法は、動画１７における電子透かし１２を埋め込む位置及び電子透かし１２の種類について、いずれか一方又は両方を変更するとよい。図９（ａ）は電子透かし１２を埋め込んだ１番目の動画１７のセット、図９（ｂ）は電子透かし１２を埋め込んだ２番目の動画１７のセット、図９（ｃ）は電子透かし１２を埋め込んだｎ番目の動画１７のセットである。
【００５６】
以下に電子透かし１２の埋め込み手順を説明する。コンテンツサーバは、フレーム１８がｍ個存在するｎセット複製された動画１７を有する。例えば、図７〜図９においては、ｍ×ｎ個のフレーム１８を有する。そして、フレーム１８は任意の数のブロック１９に分割されている。このブロック１９一つに対して、電子透かし１２一つを埋め込む。図７は、電子透かし１２の種類を同じ種類として、埋め込むブロック１９をセット毎に変化させた場合、図８は、電子透かし１２を埋め込むブロック１９を固定して、電子透かし１２の種類をセット毎に変化させた場合、図９は、埋め込むブロック１９をセット毎に変化させつつ、電子透かし１２の種類もセット毎に変化させた場合をそれぞれ示している。電子透かし１２を埋め込むタイミングは異なっていても、同時であっても良い。
【００５７】
この方法によれば、電子透かし１２を埋め込む位置或いは電子透かし１２の種類のいずれか、あるいは両方へ変更することで電子透かし１２の組み合わせのパターンを増やせるので、電子透かし１２の種類を増やさなくても多くの動画１７の配信先の識別に対応できる。
【００５８】
そして、電子透かし埋込画像コンテンツ作成方法で作成された画像コンテンツ１０は、領域１１に埋め込まれた、電子透かし１２の種類の組み合わせパターンを判定し、配信先を識別できる。第七の実施形態に係る画像コンテンツ１０においては、電子透かし１２を埋め込む位置或いは電子透かし１２の種類のいずれかを変更して電子透かし１２の種類の組み合わせパターンを増やしているので、組み合わせパターンを判定することで、動画１７の配信先を識別することができる。
【００５９】
次に、静止画の１つのブロックを画像コンテンツ１０とみなして電子透かし１２を埋め込む方法を説明する。図１０は、電子透かし埋込画像コンテンツ作成方法の第八の実施形態について示す図であり、２０は静止画であり、２１は静止画２０の１つのブロックである。Ｆは静止画２０を構成する画像１５であり、Ｗはブロック２１に埋め込まれた電子透かし１２である。Ｆ１〜Ｆｍは１個目からｍ個目のブロック２１を示し、Ｗ１１〜Ｗｎｍは１個目からｍ個目のブロック２１に埋め込まれた１番目からｎ番目の電子透かし１２を示している。つまり、Ｆｍ＋Ｗｎｍはｎ番目の電子透かし１２及び画像１５を埋め込まれたｍ個目のブロック２１を指す。図１０（ａ）は１番目の静止画２０のセット、図１０（ｂ）は２番目の静止画２０のセット、図１０（ｃ）はｎ番目の静止画２０のセットである。図１０（ｄ）は、電子透かし１２を埋め込まれたｎセットの静止画２０から、ｍ個のブロック２１を集めて再構築された静止画２０である。なお、図１〜図９に示された要素については説明を省略する。電子透かし埋込画像コンテンツ作成方法は、画像コンテンツ１０は静止画２０であり、領域１１は、静止画２０を分割したブロック２１であってもよい。
【００６０】
以下に電子透かし１２の埋め込み手順を説明する。コンテンツサーバは、ブロック２１がｍ個存在するｎセット複製された静止画２０を有する。例えば、図１０（ａ）〜（ｃ）の場合は、ｍ×ｎ個の同一の形状のブロック２１を有していることになる。ブロック２１一つに対して、電子透かし１２一つを埋め込む。そして、電子透かし１２を埋め込まれたｎセットの静止画２０の中から、ブロック２１ごとに、いずれかのセットに属するブロック２１をｍ個選択し、図１０（ｄ）に示すように、選択したブロック２１をｍ個組み合わせて静止画２０を再構成する。それぞれのブロック２１に埋め込む電子透かし１２の種類はそれぞれ異なっていても、同一であっても良い。少なくとも２種類以上が望ましい。電子透かし１２を埋め込むタイミングも異なっていても、同時であっても良い。
【００６１】
この方法によれば、予め電子透かし１２を埋め込んだｍ個のブロック２１を有するｎセットの静止画２０を用意しておくことで、電子透かし１２の組み合わせパターンを決めるだけで短時間で多くの組み合わせパターンの静止画２０を再構成できる。よって、少ない電子透かし１２の種類から多くの電子透かし１２の種類の組み合わせのパターンを作成でき、静止画２０の数に関わらず、配信先の情報を埋め込むことができる。
【００６２】
そして、電子透かし埋込画像コンテンツ作成方法で作成された画像コンテンツ１０は、領域１１に埋め込まれた、電子透かし１２の種類の組み合わせパターンを判定し、配信先を識別できる。第八の実施形態に係る画像コンテンツ１０においては、静止画２０を構成するブロック２１を複数の領域１１とみなして電子透かし１２を埋め込んでいることから、ブロック２１を調べることで、静止画２０の配信先を識別することができる。
【産業上の利用可能性】
【００６３】
本発明の電子透かし埋込画像コンテンツ作成方法は、画像コンテンツ配信システムに適用することができる。
【符号の説明】
【００６４】
１０：画像コンテンツ
１１：領域
１２：電子透かし
１３：グループ
１４：特定されたブロック
１５：画像
１６：空白のブロック
１７：動画
１８：フレーム
１９：フレーム内のブロック
２０：静止画
２１：静止画内のブロック
【図１】
2010193405.tif 000003
【図２】
2010193405.tif 000004
【図３】
2010193405.tif 000005
【図４】
2010193405.tif 000006
【図５】
2010193405.tif 000007
【図６】
2010193405.tif 000008
【図７】
2010193405.tif 000009
【図８】
2010193405.tif 000010
【図９】
2010193405.tif 000011
【図１０】
2010193405.tif 000012